(57)【要約】【課題】映像を伝送するためのケーブルの接続を間違えた場合であっても、分割された映像をそれぞれ正しい表示エリアに表示することができる映像表示装置、映像システムおよび映像表示方法を提供する。【解決手段】  各フレームバッファ２２１〜２２４に保持された映像データの映像をいずれの表示エリア２３１〜２３４に表示すべきかを指定する位置情報が第２制御部２１０から映像経路変更部２２０に与えられれば、この位置情報に対応する映像データを保持するフレームバッファは、保持する映像データを位置情報によって指定された表示エリアに出力する。このとき、ＨＤＭＩケーブル１５５〜１８５による、ＨＤＭＩトランスミッタ１５０〜１８０とＨＤＭＩレシーバ２５０〜２８０との接続が間違っていても、分割された映像データはそれぞれ適切な表示エリア２３１〜２３４に出力される。【選択図】図２
2014003438.tif 000002
【特許請求の範囲】
【請求項１】
複数のデータに分割された映像データおよび制御情報を伝送可能な複数本の伝送ケーブルによって映像出力装置に接続され、前記映像出力装置から前記複数本の伝送ケーブルによって伝送される前記分割された映像データによって表わされる映像を複数の表示エリアからなる表示部に表示する映像表示装置であって、
前記映像出力装置から出力される前記分割された映像データをそれぞれ受信する複数の映像受信部と、
前記分割された映像データに対応して前記映像出力装置から出力される前記分割された制御情報をそれぞれ受信する複数の制御情報受信部と、
前記複数の制御情報受信部によって受信された前記制御情報から前記映像を表示する前記表示エリアを指定する位置情報を取得する制御部と、
前記複数の映像受信部によって受信された映像データを前記表示部に与える映像経路変更部とを備え、
前記映像経路変更部は、前記複数の映像受信部からそれぞれ与えられた前記分割された映像データの前記映像を前記制御部から与えられた前記位置情報によって指定された前記表示エリアに表示されるように、前記分割された映像データを前記表示部に与え、
前記表示部は、前記分割された映像データによって表わされる前記映像を、前記位置情報に基づいて前記複数の前記表示エリアに表示することを特徴とする、映像表示装置。
【請求項２】
前記映像経路変更部は前記分割された映像データを保持する複数のフレームバッファを含み、
前記複数の映像受信部は、前記複数のフレームバッファとそれぞれ１対１に接続され、
前記複数のフレームバッファの各々は、複数の前記表示エリアに接続されていることを特徴とする、請求項１に記載の映像表示装置。
【請求項３】
前記映像経路変更部は前記分割された映像データを保持する複数のフレームバッファを含み、
前記複数の映像受信部の各々は、前記複数のフレームバッファのいずれかに接続され、
前記複数のフレームバッファは、複数の前記表示エリアとそれぞれ１対１に接続されていることを特徴とする、請求項１に記載の映像表示装置。
【請求項４】
前記映像経路変更部は前記分割された映像データを保持する複数のフレームバッファを含み、
前記複数の映像受信部の各々は、前記複数のフレームバッファのいずれかに接続され、
前記複数のフレームバッファの各々は、複数の前記表示エリアに接続されていることを特徴とする、請求項１に記載の映像表示装置。
【請求項５】
前記制御情報はＣＥＣ情報であることを特徴とする、請求項１に記載の映像表示装置。
【請求項６】
前記制御情報はＨＥＣ情報であることを特徴とする、請求項１に記載の映像表示装置。
【請求項７】
前記制御情報はインフォフレーム情報であることを特徴とする、請求項１に記載の映像表示装置。
【請求項８】
分割された複数の映像データをそれぞれ出力する複数の映像送信部と、前記分割された複数の映像データに対応する複数の制御情報をそれぞれ出力する複数の制御情報送信部とを含む映像表示装置と、
請求項１から７のいずれか１項に記載の映像表示装置と、
前記複数の映像送信部および前記複数の制御情報送信部の１つの映像送信部および制御情報送信部と、複数の映像受信部および複数の制御情報受信部の１つの映像受信部および制御情報受信部とをそれぞれ接続する複数本の伝送ケーブルとを備え、
前記映像表示装置は、前記複数の制御情報から取得され、映像を表示する表示部の位置を指定する位置情報に基づいて、前記映像出力装置から伝送される前記分割された複数の映像データを前記表示部の分割された複数の表示エリアにそれぞれ表示することを特徴とする、映像システム。
【請求項９】
複数のデータに分割された映像データおよび制御情報を伝送可能な複数本のケーブルによって映像出力装置に接続され、前記映像出力装置から前記複数本のケーブルによって伝送された映像データによって表わされる映像をそれぞれ分割された複数の画面からなる表示部に表示する映像表示方法であって、
前記映像出力装置から出力される前記分割された映像データを複数の映像受信部によってそれぞれ受信するステップと、
前記映像出力装置から出力される前記分割された映像データに対応する前記制御情報を複数の制御情報受信部によってそれぞれ受信するステップと、
前記制御情報受信部によって受信された前記制御情報から前記映像を表示する表示エリアを指定する位置情報を取得するステップと、
前記複数の映像受信部から与えられた前記分割された映像データの前記映像が前記位置情報によって指定された前記表示エリアに表示されるように、前記分割された映像データを前記表示部に与えるステップと、
前記分割された映像データによって表わされる前記映像を、前記位置情報に基づいて前記分割された前記表示エリアにそれぞれ表示するステップとを備えることを特徴とする、映像表示方法。
【発明の詳細な説明】
【技術分野】
【０００１】
本発明は、映像表示装置、映像システムおよび映像表示方法に関し、より詳細には、分割された複数の映像によって構成される映像を表示する映像表示装置、映像システムおよび映像表示方法に関する。
【背景技術】
【０００２】
近年、デジタル映像の表示が可能な液晶テレビ等の映像表示装置の普及に伴い、パーソナルコンピュータ等の映像出力装置から、ＨＤＭＩ（High Definition Multimedia Interface）規格に準拠したＨＤＭＩケーブルを介して接続した映像表示装置に映像データを伝送することによって映像を表示する映像システムを利用する機会が多くなっている。
【０００３】
また、フルハイビジョンの４倍の解像度を有する４Ｋ２Ｋ等の高解像度モニタが実用化を目指して開発されている。このような高解像度モニタを映像表示装置の表示部として使用すれば、映像出力装置からＨＤＭＩケーブルを介して大量の映像データを伝送する必要がある。しかし、映像出力装置と映像表示装置とを接続するＨＤＭＩケーブルが１本しかない場合には、十分なデータ転送レートを確保することができないので、映像出力装置に伝送される映像データのデータ量が少なくなる。このため、映像表示装置は、高解像度モニタを備えていても、高解像度の映像を表示することができない。
【０００４】
そこで、映像データを複数のデータに分割するとともに、映像出力装置と映像表示装置とを複数本のＨＤＭＩケーブルで接続し、分割した映像データを各ＨＤＭＩケーブルによって映像表示装置に同時に伝送する。これにより、十分なデータ転送レートを確保することができるので、映像表示装置は高解像度の映像を表示することができる。
【０００５】
また、特許文献１には、映像出力装置と映像表示装置とによって構成される映像システムにおいて、映像表示装置に複数の映像を同時に表示する際に、映像表示装置から映像出力装置に制御コマンドを送信することにより、映像表示装置が映像の解像度等を決定する映像システムが開示されている。
【先行技術文献】
【特許文献】
【０００６】
【特許文献１】特開２０１０−１０８３７２号公報
【発明の概要】
【発明が解決しようとする課題】
【０００７】
映像出力装置の出力端子と映像表示装置の入力端子とを接続するＨＤＭＩケーブルの本数が増加すれば、各ＨＤＭＩケーブルの接続を間違える可能性が高くなる。例えば、映像データを２つに分割し、これらの映像データを２本のＨＤＭＩケーブルによって映像表示装置にそれぞれ伝送する場合には、ＨＤＭＩケーブルを接続する組合せは２通りしかない。このため、視聴者は映像表示装置に表示されている映像が正しい位置に表示されていないと認識した場合には、ＨＤＭＩケーブルを差し替えることにより、２つに分割された映像はそれぞれ正しい位置に表示される。
【０００８】
しかし、ＨＤＭＩケーブルの本数が４本の場合には、ＨＤＭＩケーブルを接続する組合せは全部で２４通りある。このため、映像表示装置に表示される映像を見て、ＨＤＭＩケーブルの接続を間違えていることがわかっても、正しく接続するために必要なＨＤＭＩケーブルの差し替え作業が煩雑になる。ＨＤＭＩケーブルの本数が増加すればするほど、この差し替え作業はより一層煩雑になる。
【０００９】
図１（ａ）は、従来の映像システムにおいて、４本のＨＤＭＩケーブルが正しく接続されているときの映像を示す図であり、図１（ｂ）は、４本のＨＤＭＩケーブルのうちの２本が間違えて接続されているときの映像を示す図である。図１（ａ）に示すように、すべてのＨＤＭＩケーブル７５５が正しく接続されていれば、映像出力装置７００から分割して伝送された各映像は、表示部８３０の各表示エリア８３１〜８３４に正しく表示されるので、視聴者は映像を正しく認識することができる。しかし、図１（ｂ）に示すように、４本のＨＤＭＩケーブル７５５のうちの２本が誤って接続されていれば、本来表示エリア８３１に表示されるべき映像が表示エリア８３４に表示され、逆に表示エリア８３４に表示されるべき映像が表示エリア８３１に表示される。このように、ＨＤＭＩケーブル７５５の接続を間違えた場合には、間違えたＨＤＭＩケーブル７５５によって伝送される映像が本来表示されるべき表示エリアとは異なる表示エリアに表示されるので、視聴者は映像を正しく認識することができない。
【００１０】
また、特許文献１に記載された映像システムは、複数の独立した映像を映像表示装置に表示するシステムである。この映像システムは、映像を表示すべき表示エリアが間違っていても、視聴者は各表示エリアに表示された映像を正しく認識することができるので、ＨＤＭＩケーブルの接続を間違えた場合であっても、分割された映像を本来表示すべき表示エリアにそれぞれ表示するような機能を有していない。
【００１１】
そこで、本発明は、映像を伝送するためのケーブルの接続を間違えた場合であっても、分割された映像をそれぞれ正しい表示エリアに表示することができる映像表示装置、映像システムおよび映像表示方法を提供することを目的とする。
【課題を解決するための手段】
【００１２】
第１の発明は、複数のデータに分割された映像データおよび制御情報を伝送可能な複数本の伝送ケーブルによって映像出力装置に接続され、前記映像出力装置から前記複数本の伝送ケーブルによって伝送される前記分割された映像データによって表わされる映像を複数の表示エリアからなる表示部に表示する映像表示装置であって、
前記映像出力装置から出力される前記分割された映像データをそれぞれ受信する複数の映像受信部と、
前記分割された映像データに対応して前記映像出力装置から出力される前記分割された制御情報をそれぞれ受信する複数の制御情報受信部と、
前記複数の制御情報受信部によって受信された前記制御情報から前記映像を表示する前記表示エリアを指定する位置情報を取得する制御部と、
前記複数の映像受信部によって受信された映像データを前記表示部に与える映像経路変更部とを備え、
前記映像経路変更部は、前記複数の映像受信部からそれぞれ与えられた前記分割された映像データの前記映像を前記制御部から与えられた前記位置情報によって指定された前記表示エリアに表示されるように、前記分割された映像データを前記表示部に与え、
前記表示部は、前記分割された映像データによって表わされる前記映像を、前記位置情報に基づいて前記複数の前記表示エリアに表示することを特徴とする。
【００１３】
第２の発明は、第１の発明において、
前記映像経路変更部は前記分割された映像データを保持する複数のフレームバッファを含み、
前記複数の映像受信部は、前記複数のフレームバッファとそれぞれ１対１に接続され、
前記複数のフレームバッファの各々は、複数の前記表示エリアに接続されていることを特徴とする。
【００１４】
第３の発明は、第１の発明において、
前記映像経路変更部は前記分割された映像データを保持する複数のフレームバッファを含み、
前記複数の映像受信部の各々は、前記複数のフレームバッファのいずれかに接続され、
前記複数のフレームバッファは、複数の前記表示エリアとそれぞれ１対１に接続されていることを特徴とする。
【００１５】
第４の発明は、第１の発明において、
前記映像経路変更部は前記分割された映像データを保持する複数のフレームバッファを含み、
前記複数の映像受信部の各々は、前記複数のフレームバッファのいずれかに接続され、
前記複数のフレームバッファの各々は、複数の前記表示エリアに接続されていることを特徴とする。
【００１６】
第５の発明は、第１の発明において、
前記制御情報はＣＥＣ情報であることを特徴とする。
【００１７】
第６の発明は、第１の発明において、
前記制御情報はＨＥＣ情報であることを特徴とする。
【００１８】
第７の発明は、第１の発明において、
前記制御情報はインフォフレーム情報であることを特徴とする。
【００１９】
第８の発明は、分割された複数の映像データをそれぞれ出力する複数の映像送信部と、前記分割された複数の映像データに対応する複数の制御情報をそれぞれ出力する複数の制御情報送信部とを含む映像表示装置と、
第１から第７のいずれかの発明に係る映像表示装置と、
前記複数の映像送信部および前記複数の制御情報送信部の１つの映像送信部および制御情報送信部と、複数の映像受信部および複数の制御情報受信部の１つの映像受信部および制御情報受信部とをそれぞれ接続する複数本の伝送ケーブルとを備える映像システムであって、
前記映像表示装置は、前記複数の制御情報から取得され、映像を表示する表示部の位置を指定する位置情報に基づいて、前記映像出力装置から伝送される前記分割された複数の映像データを前記表示部の分割された複数の表示エリアにそれぞれ表示することを特徴とする。
【００２０】
第９の発明は、複数のデータに分割された映像データおよび制御情報を伝送可能な複数本のケーブルによって映像出力装置に接続され、前記映像出力装置から前記複数本のケーブルによって伝送された映像データによって表わされる映像をそれぞれ分割された複数の画面からなる表示部に表示する映像表示方法であって、
前記映像出力装置から出力される前記分割された映像データを複数の映像受信部によってそれぞれ受信するステップと、
前記映像出力装置から出力される前記分割された映像データに対応する前記制御情報を複数の制御情報受信部によってそれぞれ受信するステップと、
前記制御情報受信部によって受信された前記制御情報から前記映像を表示する表示エリアを指定する位置情報を取得するステップと、
前記複数の映像受信部から与えられた前記分割された映像データの前記映像が前記位置情報によって指定された前記表示エリアに表示されるように、前記分割された映像データを前記表示部に与えるステップと、
前記分割された映像データによって表わされる前記映像を、前記位置情報に基づいて前記分割された前記表示エリアにそれぞれ表示するステップとを備えることを特徴とする。
【発明の効果】
【００２１】
上記第１の発明によれば、分割された映像データの映像を複数の表示エリアのいずれに表示すべきかを指定する位置情報が制御部から映像経路変更部に与えられれば、映像経路変更部は、複数の映像受信部から映像経路変更部に与えられた映像データを、位置情報によって指定された表示エリアに出力する。この場合、映像出力装置から映像データを伝送する伝送ケーブルの接続が間違っていても、分割された映像データはそれぞれ適切な表示エリアに出力される。これにより、視聴者は高解像度の表示部に表示される高解像度の映像を正しく認識することができる。
【００２２】
上記第２の発明によれば、映像経路変更部に含まれる複数のフレームバッファと、複数の表示エリアとは１対１に対応していない。しかし、各フレームバッファに保持された映像データの映像を複数の表示エリアのいずれに表示すべきかを指定する位置情報が制御部から映像経路変更部に与えられれば、この位置情報に対応する映像データを保持するフレームバッファは、保持する映像データを位置情報によって指定された表示エリアに出力する。この場合、映像表示装置は、伝送ケーブルの接続が間違っていても、分割された映像データはそれぞれ適切な表示エリアに出力される。これにより、視聴者は高解像度の表示部に表示される高解像度の映像を正しく認識することができる。
【００２３】
上記第３の発明によれば、複数の映像受信部と映像経路変更部に含まれる複数のフレームバッファとは１対１に対応していない。しかし、複数のフレームバッファと複数の表示エリアとは１対１に対応するように接続されている。そこで、分割された映像データの映像をいずれの表示エリアに表示すべきかを指定する位置情報が制御部から映像経路変更部に与えられれば、複数の映像受信部から与えられた各映像データは、映像を表示すべき表示エリアに接続されたフレームバッファに保持され、さらに表示エリアに出力される。これにより、視聴者は高解像度の表示部に表示される高解像度の映像を正しく認識することができる。
【００２４】
上記第４の発明によれば、複数の映像受信部と複数のフレームバッファ、および、複数のフレームバッファと複数の表示エリアは、それぞれ１対１に対応していない。そこで、複数の映像受信部から与えられた映像データはフレームバッファのいずれかに保持され、保持された映像データの映像を表示すべき表示エリアを指定する位置情報が制御部から各フレームバッファに与えられれば、位置情報に対応する映像データを保持しているフレームバッファは、映像データを位置情報によって指定された表示エリアに出力する。これにより、視聴者は高解像度の表示部に表示される高解像度の映像を正しく認識することができる。
【００２５】
上記第５の発明によれば、分割された映像データの映像を表示すべき表示エリアを指定する位置情報をＣＥＣデータに含めて制御情報受信部に送信することにより、位置情報を正しく映像経路変更部に送信することができる。これにより、視聴者は高解像度の表示部に表示される高解像度の映像を正しく認識することができる。
【００２６】
上記第６の発明によれば、分割された映像データの映像を表示すべき表示エリアを指定する位置情報をＨＥＣデータに含めて制御情報受信部に送信することにより、位置情報を正しく映像経路変更部に送信することができる。これにより、視聴者は高解像度の表示部に表示される高解像度の映像を正しく認識することができる。
【００２７】
上記第７の発明によれば、分割された映像データの映像を表示すべき表示エリアを指定する位置情報をインフォフレームデータに含めて制御情報受信部に送信することにより、位置情報を正しく映像経路変更部に送信することができる。これにより、視聴者は高解像度の表示部に表示される高解像度の映像を正しく認識することができる。
【００２８】
上記第８の発明によれば、分割された複数の映像データを出力する映像表示装置と、第１から第７のいずれかの発明に係る映像表示装置とを接続する複数本の伝送ケーブルの接続を間違えていても、映像出力装置から出力される位置情報に基づいて、複数の映像データをそれぞれ指定された表示エリアに出力する。これにより、分割された映像データはそれぞれ適切な表示エリアに出力される。その結果、視聴者は高解像度の表示部に表示される高解像度の映像を正しく認識することができる。
【００２９】
上記第９の発明によれば、第１の発明と同様の効果を奏する。
【図面の簡単な説明】
【００３０】
【図１】（ａ）は、従来の映像システムにおいて、４本のＨＤＭＩケーブルが正しく接続されているときの映像を示す図であり、（ｂ）は、４本のＨＤＭＩケーブルのうちの２本が間違えて接続されているときの映像を示す図である。
【図２】本発明の第１の実施形態に係る映像システムの構成を示すブロック図である。
【図３】上記第１の実施形態に係る映像システムに含まれる映像表示装置の映像経路変更部と表示部の構成を示す図である。
【図４】上記第１の実施形態の映像表示装置において、映像受信部が分割された映像データを出力してから表示部の各表示エリアに映像が表示されるまでの処理を示す図である。
【図５】本発明の第２の実施形態の映像表示装置において、映像受信部が分割された映像データを出力してから表示部の各表示エリアに映像が表示されるまでの処理を示す図である。
【図６】本発明の第３の実施形態の映像表示装置において、映像受信部が分割された映像データを出力してから表示部の各表示エリアに映像が表示されるまでの処理を示す図である。
【図７】上記第１の実施形態の第１の変形例に係る映像システムの構成を示すブロック図である。
【図８】上記第１の実施形態の第２の変形例に係る映像システムの構成を示すブロック図である。
【発明を実施するための形態】
【００３１】
＜１．第１の実施形態＞
＜１．１  映像システムの構成＞
図２は、本発明の第１の実施形態に係る映像システムの構成を示すブロック図である。図２に示すように、映像システムは、映像出力装置１００と映像表示装置２００とを備えている。映像出力装置１００は、第１制御部１１０と、映像源１２０と、４つのＨＤＭＩトランスミッタ１５０〜１８０とを有する。各ＨＤＭＩトランスミッタ１５０〜１８０は、それぞれＣＥＣ（Consumer Electronics Control）送信部１５１〜１８１（「制御情報送信部」ともいう）の１つと、映像送信部１５２〜１８２の１つとを有する。映像表示装置２００は、第２制御部２１０（「制御部」ともいう）と、映像経路変更部２２０と、表示部２３０と、４つのＨＤＭＩレシーバ２５０〜２８０とを有する。各ＨＤＭＩレシーバ２５０〜２８０は、それぞれＣＥＣ受信部（「制御情報受信部」ともいう）２５１〜２８１の１つと、映像受信部２５２〜２８２の１つとを有する。
【００３２】
映像源１２０は、映像表示装置２００に表示すべき映像を表わす映像データを４つに分割し、これらの映像データを、ＨＤＭＩトランスミッタ１５０〜１８０の各映像送信部１５２〜１８２にそれぞれ出力する。第１制御部１１０は、映像表示装置２００において各分割された映像を表示すべき表示エリアを指定する位置情報を含むＣＥＣデータを、ＨＤＭＩトランスミッタ１５０〜１８０の各ＣＥＣ送信部１５１〜１８１に与える。
【００３３】
ＨＤＭＩトランスミッタ１５０〜１８０は、４本のＨＤＭＩケーブル１５５〜１８５（「伝送ケーブル」ともいう）のいずれかによって、ＨＤＭＩレシーバ２５０〜２８０とそれぞれ接続されている。具体的には、ＨＤＭＩケーブル１５５によって、ＨＤＭＩトランスミッタ１５０のＣＥＣ送信部１５１はＨＤＭＩレシーバ２５０のＣＥＣ受信部２５１に接続され、映像送信部１５２は映像受信部２５２に接続されている。他のＨＤＭＩトランスミッタ１６０〜１８０およびＨＤＭＩレシーバ２６０〜２８０も同様に接続されている。これにより、分割された４つの映像データは、映像送信部１５２〜１８２からＨＤＭＩケーブル１５５〜１８５によって接続された映像受信部２５２〜２８２にそれぞれ伝送される。各映像データの位置情報を含むＣＥＣデータは、ＣＥＣ送信部１５１〜１８１からＣＥＣ受信部２５１〜２８１にそれぞれ伝送される。
【００３４】
ＣＥＣ受信部２５１〜２８１は、ＣＥＣデータを受信すると、ＣＥＣデータから分割された映像を表示すべき表示エリアを指定する位置情報を取得し、当該位置情報を第２制御部２１０に出力する。映像受信部２５２〜２８２は、分割された映像データを受信すると、映像経路変更部２２０に出力する。表示部２３０の画面は４つの表示エリア（図示しない）に分割されている。そこで、映像経路変更部２２０から表示部２３０に与えられた映像データの映像が、これらの表示エリアのうち位置情報に基づいて指定された表示エリアに表示されるように、第２制御部２１０は位置情報を映像経路変更部２２０に与える。映像経路変更部２２０は、与えられた位置情報に基づき、分割された各映像データを表示部２３０の指定された表示エリアに出力する。これにより、表示部２３０の各表示エリアには、位置情報によって指定された映像データに基づく映像が表示される。
【００３５】
＜１．２  位置情報に基づく映像データの制御＞
図３は、図２に示す映像表示装置の映像経路変更部と表示部の構成を示す図である。図３に示すように、映像経路変更部２２０は４つのフレームバッファ２２１〜２２４を含み、表示部２３０は４つの表示エリア２３１〜２３４に分割されている。４つに分割された映像データは、フレームバッファ２２１〜２２４のいずれかに保持され、位置情報によって指定される表示エリア２３１〜２３４のいずれかに与えられる。このようにして、表示部２３０は、分割された映像を各表示エリア２３１〜２３４に表示し、１つの映像を表示する。
【００３６】
図４は、本実施形態の映像表示装置において、映像受信部が分割された映像データを出力してから表示部の各表示エリアに映像が表示されるまでの処理を示す図である。なお、図４では、図２に示す４つのＣＥＣ受信部２５１〜２８１をまとめてＣＥＣ受信部２５３として表わす。このことは、後述の図５および図６においても同様である。図４に示すように、各映像受信部２５２〜２８２は、各フレームバッファ２２１〜２２４とそれぞれ１対１に対応するように接続されている。このため、映像受信部２５２によって受信された映像データはフレームバッファ２２１に与えられ、映像受信部２６２によって受信された映像データはフレームバッファ２２２に与えられる。同様にして、映像受信部２７２および２８２からフレームバッファ２２３および２２４にそれぞれ映像データが与えられる。
【００３７】
一方、第２制御部２１０は、ＣＥＣ受信部２５３によって取得された、各映像データの位置情報を映像経路変更部２２０に与える。各フレームバッファ２２１〜２２４はいずれも、４つの表示エリア２３１〜２３４に接続されている。このため、フレームバッファ２２１は４つの表示エリア２３１〜２３４のいずれにも映像データを与えることができる。同様に、フレームバッファ２２２〜２２４も、４つの表示エリア２３１〜２３４のいずれにも映像データを与えることができる。
【００３８】
フレームバッファ２２１に保持されている映像データが表示エリア２３２に表示される映像のデータである場合、第２制御部２１０からフレームバッファ２２１に対し、表示エリア２３２を指定する位置情報が与えられる。フレームバッファ２２１はこの位置情報を受け取ると、図４に示すように、保持している映像データを表示エリア２３２に出力する。同様に、第２制御部２１０から与えられた位置情報に基づき、フレームバッファ２２２は保持している映像データを表示エリア２３４に出力し、フレームバッファ２２３は保持している映像データを表示エリア２３１に出力し、フレームバッファ２２４は保持している映像データを表示エリア２３３に出力する。
【００３９】
なお、図４では、フレームバッファ２２１は保持している映像データを表示エリア２３２に出力する場合を示すが、第２制御部２１０から与えられる位置情報に応じて、他の表示エリア２３１、２３３、２３４のいずれかにも出力することができる。図４では、そのような場合を点線の矢印で示す。他のフレームバッファ２２２〜２２４についても同様である。
【００４０】
このようにして、映像受信部２５２〜２８２から出力された映像データは、映像受信部２５２〜２８２と１対１に対応するように接続されたフレームバッファ２２１〜２２４にそれぞれ保持される。そして、第２制御部２１０から与えられた位置情報に対応する映像データを保持するフレームバッファは、保持している映像データを位置情報によって指定された表示エリアに出力する。これにより、分割された映像データの映像は適切な表示エリアにそれぞれ表示される。
【００４１】
＜１．３  効果＞
上記第１の実施形態によれば、映像経路変更部２２０に含まれるフレームバッファ２２１〜２２４と、表示エリア２３１〜２３４とは１対１に対応していない。しかし、各フレームバッファ２２１〜２２４に保持された映像データの映像をいずれの表示エリア２３１〜２３４に表示すべきかを指定する位置情報が第２制御部２１０から映像経路変更部２２０に与えられれば、この位置情報に対応する映像データを保持するフレームバッファは、保持する映像データを位置情報によって指定された表示エリアに出力する。この場合、本実施形態に係る映像システムでは、ＨＤＭＩトランスミッタ１５０〜１８０とＨＤＭＩレシーバ２５０〜２８０との接続が間違っていても、ＨＤＭＩケーブル１５５〜１８５を差し替えることなく、分割された映像データをそれぞれ適切な表示エリア２３１〜２３４に出力することができる。これにより、視聴者は高解像度の表示部２３０に表示される高解像度の映像を正しく認識することができる。
【００４２】
＜２．第２の実施形態＞
本発明の第２の実施形態に係る映像システムの構成は、図２に示す映像システムの構成と同じであるので、本実施形態に係る映像システムの構成を示すブロック図およびその説明を省略する。
【００４３】
＜２．１  位置情報に基づく映像データの制御＞
図５は、本実施形態の映像表示装置において、映像受信部が分割された映像データを出力してから表示部の各表示エリアに映像が表示されるまでの処理を示す図である。図５に示すように、映像受信部２５２〜２８２とフレームバッファ２２１〜２２４とは１対１に対応していない。映像受信部２５２〜２８２はいずれも、４つのフレームバッファ２２１〜２２４と接続されている。例えば、映像受信部２５２はフレームバッファ２２１〜２２４のそれぞれと接続されているので、映像受信部２５２から出力された映像データは、フレームバッファ２２１〜２２４のいずれかに与えられる。同様に、映像受信部２６２〜２８２から出力された映像データもフレームバッファ２２１〜２２４のいずれかに与えられる。このとき、映像データがいずれのフレームバッファに与えられるかは、後述するように第２制御部２１０から与えられる位置情報に基づいて決められる。
【００４４】
フレームバッファ２２１〜２２４は、第１の実施形態の場合と異なり、表示部２３０の表示エリア２３１〜２３４と１対１に対応するように接続されている。これにより、フレームバッファ２２１から出力された映像データの映像は表示エリア２３１に表示され、フレームバッファ２２２から出力された映像データの映像は表示エリア２３２に表示される。同様に、フレームバッファ２２３、２２４から出力された映像データの映像はそれぞれ表示エリア２３３、２３４に表示される。
【００４５】
第２制御部２１０は、ＣＥＣ受信部２５３によって取得された各映像データの位置情報を映像経路変更部２２０に与える。この位置情報に基づいて、映像経路変更部２２０に与えられた映像データが４つのフレームバッファ２２１〜２２４のいずれに保持されるべきかが決められる。映像経路変更部２２０では、例えば第２制御部２１０から与えられた位置情報が表示エリア２３１を指定する情報であれば、表示エリア２３１に表示されるべき映像の映像データが、表示エリア２３１に接続されたフレームバッファ２２１に与えられる。また、位置情報が表示エリア２３２を指定する情報であれば、表示エリア２３２に表示されるべき映像の映像データが、表示エリア２３２に接続されたフレームバッファ２２２に与えられる。
【００４６】
このようにして、映像受信部２５２〜２８２から出力された各映像データは、第２制御部２１０から与えられた位置情報に基づいてフレームバッファ２２１〜２２４にそれぞれ保持される。各フレームバッファ２２１〜２２４は、保持している映像データを１対１に対応するように接続された表示エリア２３１〜２３４にそれぞれ出力する。これにより、分割された映像データの映像は適切な表示エリアにそれぞれ表示される。
【００４７】
＜２．２  効果＞
上記第２の実施形態によれば、映像受信部２５２〜２８２と映像経路変更部２２０に含まれるフレームバッファ２２１〜２２４とは１対１に対応していない。しかし、フレームバッファ２２１〜２２４と表示エリア２３１〜２３４とは１対１に対応するように接続されている。そこで、分割された映像データの映像をそれぞれ表示エリア２３１〜２３４のいずれに表示すべきかを指定する位置情報が第２制御部２１０から映像経路変更部２２０に与えられれば、映像受信部２５２〜２８２から与えられた各映像データは、映像を表示すべき表示エリアに接続されたフレームバッファに保持され、さらにフレームバッファに接続された表示エリアに出力される。これにより、視聴者は高解像度の表示部２３０に表示される高解像度の映像を正しく認識することができる。
【００４８】
＜３．第３の実施形態＞
本発明の第３の実施形態に係る映像システムの構成は、図２に示す映像システムの構成と同じであるので、本実施形態に係る映像表示ステムの構成を示すブロック図およびその説明を省略する。
【００４９】
＜３．１  位置情報に基づく映像データの制御＞
図６は、本実施形態の映像表示装置において、映像受信部が分割された映像データを出力してから表示部の各表示エリアに映像が表示されるまでの処理を示す図である。図６に示すように、映像経路変更部２２０は４つのフレームバッファ２２１〜２２４を含み、表示部２３０は４つの表示エリア２３１〜２３４に分割されている。
【００５０】
映像受信部２５２〜２８２とフレームバッファ２２１〜２２４とは１対１に対応していない。また、後述するように、フレームバッファ２２１〜２２４と表示エリア２３１〜２３４も１対１に対応していない。このため、映像受信部２５２〜２８２から出力される映像データは、そのときに映像データを保持していないフレームバッファに与えられる。このように、本実施形態では、与えられた映像データを保持するフレームバッファは任意のフレームバッファであり、第１の実施形態のように映像データを出力する映像受信部２５２〜２８２と１対１に対応するように接続されたフレームバッファでもなく、また第２の実施形態のように映像を表示する表示エリア２３１〜２３４と１対１に対応するように接続されたフレームバッファでもない。
【００５１】
第２制御部２１０は、映像を表示すべき表示エリアに映像データが与えられるように、当該映像データに対応する位置情報をフレームバッファ２２１〜２２４に与える。与えられた位置情報に基づいて指定された表示エリアに表示されるべき映像データを保持しているフレームバッファは、その映像データを指定された表示エリアに出力する。例えば、表示エリア２３１に表示されるべき映像データをフレームバッファ２２１が保持しているときに、第２制御部２１０から表示エリア２３１の位置情報が与えられれば、フレームバッファ２２１は保持している映像データを表示エリア２３１に出力する。また、表示エリア２３３に表示されるべき映像データをフレームバッファ２２２が保持しているときに、第２制御部２１０から表示エリア２３３の位置情報が与えられれば、フレームバッファ２２２は保持している映像データを表示エリア２３３に出力する。このように、映像受信部２５２〜２８２から出力された各映像データはフレームバッファ２２１〜２２４のいずれかにそれぞれ保持され、第２制御部２１０から与えられた位置情報に対応する映像データを保持するフレームバッファは、位置情報によって指定された表示エリアに映像データを出力する。これにより、分割された映像データの映像が適切な表示エリアにそれぞれ表示される。
【００５２】
＜３．２  効果＞
上記第３の実施形態によれば、映像受信部２５２〜２８２とフレームバッファ２２１〜２２４、および、フレームバッファ２２１〜２２４と表示エリア２３１〜２３４は、いずれも１対１に対応していない。映像受信部２５２〜２８２から与えられた映像データはいずれかのフレームバッファ２２１〜２２４に保持される。保持された映像データの映像を表示すべき表示エリアを指定する位置情報が第２制御部２１０から各フレームバッファ２２１〜２２４に与えられれば、フレームバッファ２２１〜２２４のうち、与えられた位置情報に対応する映像データを保持しているフレームバッファは、映像データを位置情報によって指定された表示エリアに出力する。これにより、視聴者は高解像度の表示部２３０に表示される高解像度の映像を正しく認識することができる。
【００５３】
＜４．変形例＞
上記各実施形態では、映像表示装置２００は、映像を表示すべき表示エリアを指定する位置情報を含むＣＥＣデータを送受信することによって、分割された各映像を表示すべき表示エリアに表示する。しかし、映像表示装置は、ＣＥＣデータの代わりに、映像を表示すべき表示エリアを指定する位置情報を含むＨＥＣ（HDMI Ethernet（登録商標） Channel）データやインフォフレーム（Info Frame）データを送受信することによって、分割された映像を表示すべき表示エリアに表示してもよい。そこで、第１の実施形態の変形例として、ＨＥＣデータおよびインフォフレームデータを送受信することによって、分割された映像を表示すべき表示エリアに表示する映像システムを説明する。なお、第２および第３の実施形態の場合において、ＨＥＣデータやインフォフレームデータを送受信するときも、ＣＥＣデータを送受信するときと同様であるので、そのような映像システムの説明は省略する。
【００５４】
図７は、上記第１の実施形態の第１の変形例に係る映像システムの構成を示すブロック図である。本変形例では、分割された映像を表示すべき表示エリアに表示するための位置情報を含むＨＥＣデータを使用する。このため、映像出力装置３００のＨＤＭＩトランスミッタ３５０〜３８０にＨＥＣ送信部３５１〜３８１（「制御情報送信部」ともいう）がそれぞれ含まれ、映像表示装置４００のＨＤＭＩレシーバ４５０〜４８０にＨＥＣ受信部４５１〜４８１（「制御情報受信部」ともいう）がそれぞれ含まれる。その他の構成要素は、図２に示す映像システムの構成要素と同じであるので、同じ参照符号を付して、それらの詳細な説明を省略する。
【００５５】
また、映像受信部２５２〜２８２が分割された映像データを出力してから表示部２３０の表示エリア２３１〜２３４に映像が表示されるまでの処理も図４に示す場合と同じであるので、図およびその説明を省略する。また、この映像システムによる効果も、第１の実施形態に係る映像システムの場合と同じなので、その説明を省略する。
【００５６】
図８は、上記第１の実施形態の第２の変形例に係る映像システムの構成を示すブロック図である。本変形例では、分割された映像を表示すべき表示エリアに表示するための位置情報を含むインフォフレームデータを使用する。このため、映像出力装置５００のＨＤＭＩトランスミッタ５５０〜５８０にインフォフレーム送信部（ＩＦ送信部）５５１〜５８１（「制御情報送信部」ともいう）がそれぞれ含まれ、映像表示装置６００のＨＤＭＩレシーバ６５０〜６８０にインフォフレーム受信部（ＩＦ受信部）６５１〜６８１（「制御情報受信部」ともいう）がそれぞれ含まれる。その他の構成要素は、図２に示す映像システムの構成要素と同じであるので、同じ参照符号を付して、それらの詳細な説明を省略する。
【００５７】
また、映像受信部２５２〜２８２が分割された映像データを出力してから表示部２３０の表示エリア２３１〜２３４に映像が表示されるまでの処理も図４に示す場合と同じであるので、図およびその説明を省略する。また、この映像システムによる効果も、第１の実施形態に係る映像システムの場合と同じなので、その説明を省略する。
【符号の説明】
【００５８】
１００、３００、５００…映像出力装置
１５１、１６１、１７１、１８１…ＣＥＣ送信部（制御情報送信部）
１５２、１６２、１７２、１８２…映像送信部
１５５、１６５、１７５、１８５…ＨＤＭＩケーブル（伝送ケーブル）
２００、４００、６００…映像表示装置
２５１、２６１、２７１、２８１…ＣＥＣ受信部（制御情報受信部）
２５２、２６２、２７２、２８２…映像受信部
２１０…第２制御部（制御部）
２２０…映像経路変更部
２２１、２２２、２２３、２２４…フレームバッファ
２３０…表示部
２３１、２３２、２３３、２３４…表示エリア
３５１、３６１、３７１、３８１…ＨＥＣ送信部（制御情報送信部）
４５１、４６１、４７１、４８１…ＨＥＣ受信部（制御情報受信部）
５５１、５６１、５７１、５８１…インフォフレーム送信部（制御情報送信部）
６５１、６６１、６７１、６８１…インフォフレーム受信部（制御情報受信部）
【図１】
2014003438.tif 000003
【図２】
2014003438.tif 000004
【図３】
2014003438.tif 000005
【図４】
2014003438.tif 000006
【図５】
2014003438.tif 000007
【図６】
2014003438.tif 000008
【図７】
2014003438.tif 000009
【図８】
2014003438.tif 000010